(57)【要約】【課題】  安価で操作性の良い医療機器スイッチ装置を提供する。【解決手段】  医療機器スイッチ装置５２は、外装４４および気密ユニット４６と、入力部１１２と、磁石１１４と、第１および第２の磁性体１２０ａ，１２０ｂと、磁気センサ１２２とを備えている。入力部１１２は外装４４に対して操作可能に設けられている。磁石１１４は入力部１１２に設けられ、入力部１１２の移動に応じて移動する。第１の磁性体１２０ａは外装４４に設けられている。第２の磁性体１２０ｂは気密ユニット４６に設けられている。磁石１１４が入力部１１２の操作によって移動することによって、第１および第２の磁性体１２０ａ，１２０ｂへの磁石１１４からの磁力が変化するのを磁気センサ１２２で検出する。【選択図】      図３
2007252418.tif 000002
【特許請求の範囲】
【請求項１】
ケーシング部材と、
前記ケーシング部材に対して可動可能に設けられた入力部と、
前記入力部に設けられ、前記入力部の移動に応じて移動する磁力発生部と、
前記ケーシング部材に設けられ、前記入力部の移動に応じて、前記磁力発生部により発生される磁力線の方向を前記磁力発生部に対して変化させる磁力線変化手段と、
前記ケーシング部材に設けられ、前記磁力線変化手段による磁力の変化を検出する磁気センサと
を具備することを特徴とする医療機器スイッチ装置。
【請求項２】
ケーシング部材と、
前記ケーシング部材に操作可能に設けられた入力部と、
前記入力部に設けられ、前記入力部の操作に応じて移動する磁力発生部と、
前記ケーシング部材に設けられた第１の磁性体と、
前記磁力発生部と前記第１の磁性体との間に設けられた磁気センサと、
前記ケーシング部材に設けられ、前記磁力発生部と前記第１の磁性体との間から外れた位置に設けられた第２の磁性体と
を具備し、
前記磁力発生部は、
前記磁力発生部と前記第１の磁性体との間の距離が、前記磁力発生部と前記第２の磁性体との間の距離よりも短い第１の位置と、
前記磁力発生部と前記第１の磁性体との間の距離が、前記磁力発生部と前記第２の磁性体との間の距離よりも長い第２の位置と
の間を前記入力部の操作に応じて変化可能であることを特徴とする医療機器スイッチ装置。
【発明の詳細な説明】
【技術分野】
【０００１】
本発明は、例えば内視鏡用撮像装置など、種々の医療機器に使用される医療機器スイッチ装置に関する。
【背景技術】
【０００２】
内視鏡用撮像装置は、細長の挿入部を体腔内に挿入し、体腔内の観察や処置を行なうことが可能な内視鏡の接眼部に着脱自在に取り付けて内視鏡像を撮影するのに用いられている。この内視鏡装置には、内視鏡像の明るさ調整やフリーズ、内視鏡の焦点調整などの機能を有するリモートスイッチが配設されていることが一般的である。
【０００３】
ところで、近年、内視鏡用撮像装置の滅菌方法として、高温高圧水蒸気によるオートクレーブ滅菌が普及しつつある。
【０００４】
このようにリモートスイッチを有し、オートクレーブ滅菌可能な内視鏡用撮像装置の一例として、例えば特許文献１に開示されたものがある。この内視鏡用撮像装置は、リモートスイッチとして磁気スイッチを採用し、この磁気スイッチに磁石（磁力発生手段）を近づけたり遠ざけたりすることによって、磁気スイッチの出力のＯＮ／ＯＦＦを切り替えることができる。
【特許文献１】特許第３３００１３５号公報
【発明の開示】
【発明が解決しようとする課題】
【０００５】
しかしながら、このような特許文献１に開示されたような従来の内視鏡用撮像装置では、以下のような問題がある。  
一般的に、磁気スイッチは個体によるバラツキが大きく、磁気スイッチのＯＮ／ＯＦＦを確実に操作するためには、磁石の動くストロークを大きくする必要がある。しかし、手元で操作するリモートスイッチのストロークを大きくすると、操作性が悪くなるという問題がある。
【０００６】
また、磁気スイッチの個体によるバラツキを減少させるために、磁気スイッチを選別して使用するという方法も考えられるが、スイッチの選別に手間がかかるばかりでなく、歩留まりも悪くなり、コストアップにつながるおそれがあるという問題がある。
【０００７】
本発明は上記事情に鑑みてなされたものであり、その目的とするところは、安価で操作性の良い医療機器スイッチ装置を提供することにある。
【課題を解決するための手段】
【０００８】
上記課題を解決するために、本発明に係る医療機器スイッチ装置は、ケーシング部材と、前記ケーシング部材に対して可動可能に設けられた入力部と、前記入力部に設けられ、前記入力部の移動に応じて移動する磁力発生部と、前記ケーシング部材に設けられ、前記入力部の移動に応じて、前記磁力発生部により発生される磁力線の方向を前記磁力発生部に対して変化させる磁力線変化手段と、前記ケーシング部材に設けられ、前記磁力線変化手段による磁力の変化を検出する磁気センサとを具備することを特徴とする。  
磁力線変化手段により磁力線の方向が変化するのを磁気センサで検出して、スイッチのＯＮ／ＯＦＦを規定することができる。このとき、入力部のストロークを小さくした状態でスイッチを切り替えることができ、磁石の選別を必要としないので、安価に構成することができる。
【０００９】
また、上記課題を解決するために、本発明に係る医療機器スイッチ装置は、ケーシング部材と、前記ケーシング部材に操作可能に設けられた入力部と、前記入力部に設けられ、前記入力部の操作に応じて移動する磁力発生部と、前記ケーシング部材に設けられた第１の磁性体と、前記磁力発生部と前記第１の磁性体との間に設けられた磁気センサと、前記ケーシング部材に設けられ、前記磁力発生部と前記第１の磁性体との間から外れた位置に設けられた第２の磁性体とを具備し、前記磁力発生部は、前記磁力発生部と前記第１の磁性体との間の距離が、前記磁力発生部と前記第２の磁性体との間の距離よりも短い第１の位置と、前記磁力発生部と前記第１の磁性体との間の距離が、前記磁力発生部と前記第２の磁性体との間の距離よりも長い第２の位置との間を前記入力部の操作に応じて変化可能であることを特徴とする。  
第１の磁性体と磁石との距離と、第２の磁性体と磁石との距離とを変化させることにより磁力線が変化するのを磁気センサで検出して、スイッチのＯＮ／ＯＦＦを規定することができる。このとき、入力部のストロークを小さくした状態でスイッチを切り替えることができ、磁石の選別を必要としないので、安価に構成することができる。
【発明の効果】
【００１０】
本発明によれば、安価で操作性の良い医療機器スイッチ装置を提供することができる。
【発明を実施するための最良の形態】
【００１１】
以下、図面を参照しながらこの発明を実施するための最良の形態（以下、実施の形態という）について説明する。  
［第１の実施の形態］
第１の実施の形態について図１ないし図３を用いて説明する。  
（構成）
図１に示すように、この実施の形態に係る内視鏡装置１０は、内視鏡１２と、内視鏡用撮像装置（医療機器操作用装置）１４と、光源装置１６と、ビデオプロセッサ１８と、モニタ２０とを備えている。
【００１２】
内視鏡１２は、体内を観察するために体腔内に挿入されて使用される。内視鏡用撮像装置１４は、内視鏡１２に着脱自在に装着される。このため、内視鏡用撮像装置１４は、内視鏡１２によって取り込まれた内視鏡像を撮像する。光源装置１６は、内視鏡１２に着脱自在に装着されて内視鏡１２に照明光を供給する。ビデオプロセッサ１８は、内視鏡用撮像装置１４に着脱自在に接続され、内視鏡用撮像装置１４から伝達された信号を処理する。モニタ２０は、ビデオプロセッサ１８に着脱自在に接続され、ビデオプロセッサ１８から出力される映像信号を表示する。
【００１３】
内視鏡１２は、挿入部２４と、この挿入部２４の基端部に設けられた接眼部２６と、挿入部２４の基端部の側部に設けられた口金２８とを備えている。この口金２８にはライトガイドケーブル３０の一端が接続されている。このライトガイドケーブル３０の他端にはコネクタ３２が配設されている。上述した光源装置１６には、レセプタクル１６ａが設けられている。このレセプタクル１６ａには、コネクタ３２が着脱自在である。
【００１４】
内視鏡１２の挿入部２４の内部には、図示しないが、照明窓と、対物レンズと、ライトガイドと、リレー光学系と、接眼レンズとが配設されている。挿入部２４の先端部には、照明窓および対物レンズが配設されている。挿入部２４の基端部の接眼部２６には、接眼レンズが配設されている。
【００１５】
照明窓と、ライトガイドと、口金２８とは光学的に接続されている。口金２８には、ライトガイドケーブル３０が接続されているので、照明窓およびライトガイドは、上述したライトガイドケーブル３０と光学的に接続されている。このため、内視鏡装置１０は、ライトガイドケーブル３０のコネクタ３２を光源装置１６のレセプタクル１６ａに接続することによって、光源装置１６内の図示しないランプによる白色光がライトガイドケーブル３０の端面に照射される。そうすると、ライトガイドケーブル３０、内視鏡１２の挿入部２４の内部のライトガイドを通して照明窓から観察対象物の照明光が出射される。したがって、被写体が照明される。
【００１６】
また、対物レンズ、リレー光学系および接眼レンズは、光学的に接続されている。このため、上述した照明光によって照明された被写体による光学像は、対物レンズに入射されて結像される。この対物レンズによって結像された被写体の光学像（以下、主に内視鏡像という）は、対物レンズからリレーレンズに入射され、このリレーレンズから接眼レンズに入射される。すなわち、挿入部２４の先端部側で結像された内視鏡像は、挿入部２４の基端部の接眼部２６の接眼レンズ側で術者に観察される。
【００１７】
ここでは、接眼部２６には、内視鏡用撮像装置１４が接続されているので、内視鏡像は、内視鏡用撮像装置１４によって撮像されて光電変換されて電気信号に変換される。
【００１８】
図１に示すように、内視鏡用撮像装置１４からはカメラケーブル３４が延出されている。このカメラケーブル３４の端部には、プラグ３４ａが配設されている。上述したビデオプロセッサ１８には、レセプタクル１８ａが設けられている。このレセプタクル１８ａには、プラグ３４ａが着脱自在である。このため、内視鏡用撮像装置１４とビデオプロセッサ１８とは、カメラケーブル３４を介して互いに対して着脱可能に電気的に接続されている。なお、ビデオプロセッサ１８とモニタ２０とは、ケーブル３６を介して電気的に接続されている。
【００１９】
内視鏡用撮像装置１４で撮像された内視鏡像の電気信号は、図１に示すように、内視鏡用撮像装置１４から延出されたカメラケーブル３４およびプラグ３４ａを介してビデオプロセッサ１８に伝送される。このビデオプロセッサ１８は、電気信号を映像信号に変換してその映像信号をモニタ２０に出力する。このため、モニタ２０には内視鏡像が表示される。
【００２０】
上述したように、内視鏡１２の接眼部２６には、内視鏡用撮像装置１４が着脱自在に装着されている。以下、図２および図３を用いて、内視鏡用撮像装置（医療機器操作用装置）１４の具体的な構成について説明する。
【００２１】
図２に示すように、内視鏡用撮像装置１４は、スコープマウント４２と、外装４４と、気密ユニット４６と、フォーカス調整部５０と、スイッチ装置５２とを備えている。特に、フォーカス調整部５０およびスイッチ装置５２は、外装４４および気密ユニット４６にまたがって配設されている。
【００２２】
外装４４は、略円筒状に形成されている。この外装４４の先端部には、スコープマウント４２が一体的に形成されている。外装４４の内部には、気密ユニット４６が配設されている。また、外装４４には、フォーカス調整部５０と、スイッチ装置５２とが配設されている。
【００２３】
気密ユニット４６は、気密ユニット本体６２と、カバーガラス６４と、ハーメチックコネクタ６６とを備えている。気密ユニット本体６２は、略円筒状に形成されている。この気密ユニット本体６２は一般的にステンレス鋼や、チタンなどを削ることにより作製されているが、電鋳により製作することによって小型・軽量化しても良い。
【００２４】
この気密ユニット本体６２の一端は、外装４４に固定されている。この気密ユニット本体６２の一端には、カバーガラス６４が図示しない半田などにより気密に接合されている。一方、気密ユニット本体６２の他端には、ハーメチックコネクタ６６が高周波半田やレーザー溶接などにより気密に接合されている。また、ハーメチックコネクタ６６のハーメチックコネクタ本体６６ｂと接続ピン６６ａとの間は、ガラス封止などの技術により絶縁されているとともに気密に接合されている。このため、気密ユニット４６は、その内部が気密状態に形成されている。
【００２５】
気密ユニット４６の内部には、レンズ枠７２と、光学系７４と、固体撮像素子枠７６と、固体撮像素子７８と、信号伝達回路８０と、スイッチ装置５２の一部をなすスイッチユニット８２とを備えている。
【００２６】
レンズ枠７２は、気密ユニット本体６２の内部の先端側に配設されている。このレンズ枠７２の中心部には、光学系７４が固定されている。このため、光学系７４はカバーガラス６４の基端側に光学的に接続された状態に配設されている。このレンズ枠７２は、気密ユニット本体６２の内周に接した状態で、光学系７４の光軸方向に沿って移動可能に設けられている。このため、この光学系７４には、図１に示す内視鏡１２の接眼部２６からの内視鏡像がカバーガラス６４を通して入射される。
【００２７】
このレンズ枠７２の外周面には、例えば複数の凹部７２ａが形成されている。これら凹部７２ａ同士はリング状に繋げられて形成されている必要はなく、所々に形成されていれば良い。ただし、中心軸に対して等間隔に形成されていることが好適である。これら凹部７２ａには、それぞれ第１の内部磁石（レンズ枠用磁石）９０ａが配設されている。
【００２８】
信号伝達回路８０は、例えば硬性部８０ａと軟性部８０ｂとを有するフレックスリジッド基板などで構成されている。硬性部８０ａには、スイッチユニット８２からの電気信号を伝送するための第１のコネクタ９２ａが設けられている。
【００２９】
フォーカス調整部５０は、フォーカスリング１０２と、移動部１０４と、例えばＯリングなどの第１の弾性部材１０６と、第１の外部磁石（フォーカス用磁石）９０ｂとを備えている。
【００３０】
外装４４には、その中心軸に向かって貫通されたリング状の貫通溝４４ａが形成されている。この貫通溝４４ａには、フォーカスリング１０２が配設されている。フォーカスリング１０２は、片側断面がともに略Ｔ字状に形成されている。すなわち、このフォーカスリング１０２は、リング部１０２ａと、このリング部１０２ａの外周に対して外装４４の軸方向に沿って突出されたフランジ部１０２ｂとを備えている。このため、このフォーカスリング１０２は、外装４４の貫通溝４４ａに対して回転可能に配設されている。
【００３１】
フォーカスリング１０２のフランジ部１０２ｂには、外装４４の外周面に近接する側に１対の凹部１０２ｃが形成されている。これら凹部１０２ｃには、外装４４の外周に第１の弾性部材１０６がそれぞれ配設されている。このため、第１の弾性部材１０６によって、フォーカスリング１０２と外装４４との間の防水性が確保されている。さらに、第１の弾性部材１０６とフォーカスリング１０２との間の摩擦、および、第１の弾性部材１０６と外装４４との間の摩擦により、フォーカスリング１０２が不用意に回転することが防止されている。
【００３２】
このフォーカスリング１０２は、図示しない回転角度規制手段（例えばカムピンとカム溝によるカム機構など）によって所定の範囲内にのみ回転可能で、ある一定の角度以上の回転が防止されている。また、移動部１０４はリング状に形成されている。フォーカスリング１０２の内周面と、移動部１０４の外周面とは、互いに対してカム機構などによって、配設されている。このため、フォーカスリング１０２を回転させると、移動部１０４が気密ユニット本体６２の外周面でその軸方向に沿って移動する。
【００３３】
移動部１０４の内周面には、凹部１０４ａが形成されている。この凹部１０４ａには、気密ユニット本体６２の壁部を挟んだ状態で、上述した第１の内部磁石９０ａに対向する位置に第１の外部磁石９０ｂが配設されている。
【００３４】
この第１の外部磁石９０ｂは、上述した第１の内部磁石９０ａと磁気的に連結されている。このため、移動部１０４が光軸方向に移動すると、第１の外部磁石９０ｂと第１の内部磁石９０ａとの間の磁気的連結力によって、レンズ枠７２も光軸方向に移動する。したがって、フォーカスリング１０２を回転させると、光学系７４が移動してフォーカス調整が行なわれる。
【００３５】
スイッチ装置５２は、図３（Ａ）に示すように、前述したスイッチユニット８２と、入力部１１２と、磁石（磁力発生部）１１４と、固定部材１１６と、板バネ１１８と、第１の磁性体１２０ａとを備えている。  
外装４４には、その中心軸に向かって貫通された貫通孔４４ｂが形成されている。この貫通孔４４ｂの周囲には、外装４４の中心軸方向に向かって凹まされた凹部４４ｃが形成されている。入力部１１２は、貫通孔４４ｂを貫通した状態で凹部４４ｃに嵌め込まれている。凹部４４ｃおよび入力部１１２は、外向きにフランジ部１１６ａを有するリング状の固定部材１１６によって狭持されている。すなわち、固定部材１１６は、入力部１１２が脱落することを防止するように、入力部１１２を外装４４に固定する。
【００３６】
入力部１１２は、例えばシリコーンゴム材など弾性を有する材質により、断面が略Ｔ字状の押しボタン型に形成されている。このため、この入力部１１２は、操作者が指などで押圧すると変形するが、手を離すと自動的に元の形状に復帰する。すなわち、入力部１１２は、この入力部１１２が操作されないときの第１の位置（図３（Ａ）参照）と、入力部１１２が操作されたときの第２の位置（図３（Ｂ）参照）との範囲内で、位置や形状等が変化する。この入力部１１２には、凹部１１２ａが形成されている。この凹部１１２ａには、磁石１１４が接着や一体成形などの手段により一体的に設けられている。
【００３７】
板バネ１１８は、気密ユニット本体６２の外周面に設けられている。この板バネ１１８は、入力部１１２を操作した際に磁石１１４により押圧されて変形して、操作者にクリック感を与える。
【００３８】
外装４４の貫通孔４４ｂおよび凹部４４ｃに隣接する外装４４の内側の位置には、さらに凹部４４ｄが形成されている。この凹部４４ｄには、第１の磁性体１２０ａが装着されている。この第１の磁性体１２０ａは、例えば接着などの手段により、外装４４に一体的に設けられている。
【００３９】
図３（Ａ）および図３（Ｂ）に示すように、スイッチユニット８２は、例えばホールＩＣなどの磁気センサ１２２と、リジッド基板１２４と、磁性体枠１２６と、第２の磁性体１２０ｂとを備えている。
【００４０】
リジッド基板１２４の一側には、磁気センサ１２２が実装されている。リジッド基板１２４の他側には、図示しない半田などの手段により、磁性体枠１２６が固定されている。この磁性体枠１２６には、第２の磁性体１２０ｂが固定されている。磁気センサ１２２と第２の磁性体１２０ｂとは、対向した位置に配設されている。このとき、磁石１１４と第２の磁性体１２０ｂとの間には、磁気センサ１２２が設けられている。
【００４１】
リジッド基板１２４の他側には、上述した第１のコネクタ９２ａに電気的に接続される第２のコネクタ９２ｂがさらに設けられている。このため、磁気センサ１２２がＯＮ／ＯＦＦに切り替えられるときの電気信号は、リジッド基板１２４、第２のコネクタ９２ｂを介して第１のコネクタ９２ａに伝送される。
【００４２】
ところで、磁石１１４と第１の磁性体１２０ａとの間の距離をＬａとし、磁石１１４と第２の磁性体１２０ｂとの間の距離をＬｂとする。第１の位置（図３（Ａ）参照）にあるときには、距離Ｌｂが距離Ｌａよりも長くなり、第２の位置（図３（Ｂ）参照）にあるときには、距離Ｌｂが距離Ｌａよりも短くなる。
【００４３】
したがって、入力部１１２の磁石１１４が第１の位置にあるとき、距離Ｌｂの方が距離Ｌａよりも長いので、磁力線の向きが磁石１１４から第１の磁性体１２０ａの方向（第１の方向）に集まる。一方、磁石１１４が第２の位置にあるとき、距離Ｌｂの方が距離Ｌａよりも短いので、磁力線の向きが磁石１１４から第２の磁性体１２０ｂの方向（第２の方向）に集まる。つまり、入力部１１２を操作することにより磁石１１４の位置が移動すると、磁石１１４に対して第１の磁性体１２０ａと第２の磁性体１２０ｂとが近接および離隔する。このため、磁石１１４から発生する磁力線の方向が第１の方向から第２の方向、またはその逆方向に変化する。すなわち、第１の磁性体１２０ａおよび第２の磁性体１２０ｂは、磁石１１４の近接および離隔によって磁石１１４から生じる磁力線の向きを変化させる磁力線変化手段である。
【００４４】
（作用）
次に、この実施の形態に係る内視鏡装置１０の作用について説明する。ここでは、主に、スイッチ装置５２の作用について説明する。  
ここで、図２に示すスイッチ装置５２には内視鏡画像の明るさをアップさせる機能が割り付けられていることとする。図１に示すように、内視鏡用撮像装置１４は、内視鏡１２の挿入部２４の基端部の接眼部２６に着脱自在に取り付けられ、内視鏡検査に使用される。
【００４５】
光源装置１６からレセプタクル１６ａ、コネクタ３２、ライトガイドケーブル３０、口金２８および挿入部２４を介して照明光が挿入部２４の先端部の照明レンズ（図示せず）から出射される。この照明光は被写体を照明する。照明された被写体は、挿入部２４の先端部の対物レンズにより内視鏡像として取り込まれる。この内視鏡像は、図２に示すカバーガラス６４、光学系７４を通して固体撮像素子７８に伝送される。この固体撮像素子７８は、内視鏡像を光電変換して電気信号を生成する。この電気信号は、信号伝達回路８０、ハーメチックコネクタ６６、カメラケーブル３４、図１に示すプラグ３４ａおよびレセプタクル１８ａを介してビデオプロセッサ１８に伝送される。ビデオプロセッサ１８は電気信号を映像信号に変換し、モニタ２０上に内視鏡像を表示する。
【００４６】
モニタ２０上の内視鏡像の焦点が合っていない場合、図２に示すフォーカスリング１０２を操作して焦点を調整する。フォーカスリング１０２を回転させると、図示しないカム機構により移動部１０４が光軸方向に沿って前後に移動する。このとき、フォーカス用磁石９０ｂとレンズ枠用磁石９０ａとの間の磁気的連結力により、レンズ枠７２が移動部１０４の動きに連動して光軸方向に沿って前後に移動する。このようにして、内視鏡像のフォーカス調整を行なう。
【００４７】
ここで、モニタ２０上の内視鏡像を明るくする場合を例にとって、スイッチ装置５２の作用について説明する。  
図３（Ａ）に示すように、外装４４に対して入力部１１２を押圧していない状態（第１の位置）では、磁石１１４と第１の磁性体１２０ａとの間の距離Ｌａが、磁石１１４と第２の磁性体１２０ｂとの間の距離Ｌｂよりも短い。このため、磁力線の向きが第１の方向を向いている。すなわち、磁力線の密度は、第１の方向への密度が第２の方向に比べて高い状態にある。したがって、磁気センサ１２２は磁力を検知できずにＯＦＦの状態で保持されている。
【００４８】
この後、図３（Ｂ）に示すように、外装４４に対して入力部１１２を指などで押圧する。入力部１１２が変形し、磁石１１４と第２の磁性体１２０ｂとの間の距離Ｌｂが近接していく。そして、磁石１１４と第２の磁性体１２０ｂとの間の距離Ｌｂが、磁石１１４と第１の磁性体１２０ａとの間の距離Ｌａよりも短くなったとき、磁力線の向きが第２の方向に変化する。すなわち、磁力線の密度は、第２の方向への密度が第１の方向に比べて高い状態にある。このため、磁石１１４と第２の磁性体１２０ｂとの間に設けられた磁気センサ１２２は、磁力を検知してＯＮに切り替えられる。
【００４９】
この信号は磁気センサ１２２から、リジッド基板１２４、第２のコネクタ９２ｂ、第１のコネクタ９２ａ、信号伝達回路８０、ハーメチックコネクタ６６、カメラケーブル３４、プラグ３４ａおよびレセプタクル１８ａを介してビデオプロセッサ１８に伝送されて、ビデオプロセッサ１８で処理される。このため、ビデオプロセッサ１８からケーブル３６を介して表示されるモニタ２０上の内視鏡画像は一段階明るくなる。
【００５０】
ここで、入力部１１２から指を離すと、入力部１１２は自身の持つ弾性力により元の状態（第１の位置）に復元する。このとき、磁気センサ１２２は磁石１１４から、ある一定以上の磁力を検知することができずにＯＦＦの状態に切り替えられる。内視鏡画像の明るさは維持される。さらにもう一度入力部１１２を押圧すると、上述したように、内視鏡画像の明るさがさらに一段階アップする。
【００５１】
このような操作を繰り返して、内視鏡画像が所定の範囲の明るさのうち最高の状態に達したときに操作部１１２をさらに押圧操作すると、磁気センサ１２２がＯＮに切り替えられる。このとき、内視鏡画像は所定の範囲内の明るさのうち最低の状態に暗くなる。そして、操作部１１２の押圧操作を繰り返すと、内視鏡画像の明るさが次第にアップする。
【００５２】
または、磁気センサ１２２を以下のように設定することもできる。操作部１１２の操作を繰り返して、内視鏡画像が所定の明るさに達したときに操作部１１２をさらに操作すると、磁気センサ１２２がＯＮに切り替えられる。このとき、内視鏡画像が一段階暗くなる。そして、操作部１１２の押圧操作を繰り返すと、内視鏡画像の明るさが一段階ずつダウンする。最も暗くなった状態から操作部１１２の押圧操作を繰り返すと、内視鏡画像の明るさが一段階ずつアップする。
【００５３】
（効果）
以上説明したように、この実施の形態によれば、以下のことが言える。  
外装４４に対する入力部１１２の操作に応じて磁力線の向きを第１の磁性体１２０ａに主に向かわせるか、第２の磁性体１２０ｂに主に向かわせるか、適宜に変化させることができる。このため、磁気センサ１２２のＯＮ／ＯＦＦを切り替えることができる。したがって、スイッチ装置５２のＯＮ／ＯＦＦを切り替えることができる。
【００５４】
このとき、入力部１１２のストロークは小さくても良い。このため、スイッチ装置５２の操作性を向上させることができる。
【００５５】
磁気センサ１２２のバラツキを考慮した磁石１１４を予め設置することによって、磁気センサ１２２を選別する必要がない。したがって、安価な内視鏡装置１０を提供することができる。
【００５６】
また、図１のビデオプロセッサ１８は、磁気センサ１２２の出力に応じて、内視鏡画像の明るさを調整したり、内視鏡像をフリーズさせるなどの各種機能を選択的にリモートコントロール可能である。スイッチ装置５２の数は１個（図３参照）に限定されるものではなく、複数個あっても良い。
【００５７】
さらに、ここまでは、スイッチ装置５２が内視鏡用撮像装置１４に一体化されたものとして説明したが、内視鏡用撮像装置１４とは別体のリモートスイッチや外科用のハンドピースなどにも同様の構造を応用しても良い。さらに、内視鏡１２と内視鏡用撮像装置１４を一体化し、挿入部２４の先端部に固体撮像素子７８を設けた電子内視鏡に適用しても良い。
【００５８】
［第２の実施の形態］
次に、第２の実施の形態について図４を用いて説明する。この実施の形態は第１の実施の形態の変形例であって、第１の実施の形態で説明した部材と同一の部材には同一の符号を付し、詳しい説明を省略する。
【００５９】
（構成）
図４に示すように、第２の実施の形態は第１の実施の形態に対して、スイッチユニット８２の配置が異なる。ここでは、スイッチユニット８２は、第１の磁性体１２０ａに対向する位置に配設されている。
【００６０】
第１の磁性体１２０ａは、磁石１１４と第１の磁性体１２０ａとの間の距離をＬａ、磁石１１４と第２の磁性体１２０ｂとの間の距離をＬｂとしたとき、第１の位置（図４（Ａ）参照）のときには距離Ｌａよりも距離Ｌｂが大きく、第２の位置（図４（Ｂ）参照）のときには距離Ｌａの方が距離Ｌｂよりも大きい。このようにすることにより、磁石１１４が第１の位置にあるときには磁力線の向き（密度）が磁石１１４から第１の磁性体１２０ａの方向（第１の方向と称する）に集められ、磁石１１４が第２の位置にあるときには磁力線の向き（密度）が磁石１１４から第２の磁性体１２０ｂの方向（第２の方向と称する）に集められる。
【００６１】
（作用）
スイッチ装置５２には内視鏡画像の明るさをアップさせる機能が割り付けられていることとする。モニタ２０上の内視鏡像を明るくする場合を例にとってスイッチ装置５２の作用について説明する。  
図４（Ａ）に示すように、入力部１１２を押圧していない状態（第１の位置）では、磁石１１４と第１の磁性体１２０ａとの距離Ｌａが、磁石１１４と第２の磁性体１２０ｂとの距離Ｌｂよりも短い。このため、磁力線の向きが主に第１の方向を向いている。したがって、磁気センサ１２２は磁力を検知することができず、ＯＦＦの状態で保持されている。
【００６２】
この後、図４（Ｂ）に示すように、入力部１１２を指などで押圧すると、入力部１１２が変形し、磁石１１４と第１の磁性体１２０ａとの間の距離Ｌａが離隔していく。そして、磁石１１４と第１の磁性体１２０ａとの間の距離Ｌａが、磁石１１４と第２の磁性体１２０ｂとの間の距離Ｌｂよりも長くなったとき、磁力線の向きが第１の方向から第２の方向に変化する。このため、磁石１１４と第２の磁性体１２０ｂとの間に設けられた磁気センサ１２２は、磁石１１４からの磁力を検知してＯＮに切り替えられる。
【００６３】
この信号は、磁気センサ１２２から、リジッド基板１２４、第２のコネクタ９２ｂ、第１のコネクタ９２ａ、信号伝達回路８０、図２に示すハーメチックコネクタ６６、カメラケーブル３４、図１に示すプラグ３４ａおよびレセプタクル１８ａを介してビデオプロセッサ１８に伝送されて処理される。このため、モニタ２０上の内視鏡画像は一段階明るくなる。
【００６４】
ここで、入力部１１２から指を離すと、入力部１１２は自身の持つ弾性力により元の状態（第１の位置）に復元する。このとき、磁気センサ１２２は、磁石１１４からのある一定以上の磁力を検知せずにＯＦＦに切り替えられる。内視鏡画像の明るさは維持される。さらにもう一度操作部１１２を押圧すると、上述したように、内視鏡画像の明るさがさらに一段階アップする。
【００６５】
（効果）
この実施の形態によれば、第１の実施の形態で説明した効果と同じ効果を得ることができる。
【００６６】
［第３の実施の形態］
次に、第３の実施の形態について図５を用いて説明する。この実施の形態は第１および第２の実施の形態の変形例であって、第１および第２の実施の形態で説明した部材と同一の部材には同一の符号を付し、詳しい説明を省略する。
【００６７】
（構成）
図５（Ａ）および図５（Ｂ）に示すように、第３の実施の形態は第１の実施の形態に対して、スイッチ装置５２の構成が異なる。  
スイッチ装置５２は、図５（Ａ）に示すように、スイッチユニット８２と、入力部１１２と、磁石１１４と、固定部材１１６と、ヒンジ状バネ（スプリングヒンジ）１３２とを備えている。
【００６８】
スイッチユニット８２は、磁気センサ１２２と、リジッド基板１２４と、磁気センサ１２２がＯＮ／ＯＦＦに切り替えられたときの電気信号を第１のコネクタ９２ａに伝送するための第２のコネクタ９２ｂとを備えている。第２の磁性体１２０ｂおよび磁性体枠１２６は、リジッド基板１２４から除去されている。
【００６９】
入力部１１２からは、凹部１１２ａ（図３および図４参照）が除去されている。さらに、板バネ１１８（図３および図４参照）も除去されている。このため、入力部１１２と気密ユニット本体６２との間には、空間が形成されている。この空間には、磁石１１４およびヒンジ状バネ１３２が配設されている。
【００７０】
ヒンジ状バネ１３２は、枢軸１３４によってヒンジ状に開閉可能に枢支された略Ｖ字型に形成されている。枢軸１３４は、入力部１１２の中心軸に対して直交する向きに配設されている。ヒンジ状バネ１３２の一方は、図示しないビスなどの手段により気密ユニット本体６２に固定されている。ヒンジ状バネ１３２の他方には、例えば接着剤などにより磁石１１４が一体的に固定されている。このとき、磁石１１４は、入力部１１２に当接可能な位置に固定されている。このため、磁石１１４を介してバネ１３２に例えば他方から押圧力を加えると、このバネ１３２が閉じる。そして、入力部１１２が操作されないときの第１の位置（図５（Ａ）参照）と、入力部１１２が操作されたときの第２の位置（図５（Ｂ）参照）とが、入力部１１２の操作に応じて移動自在である。
【００７１】
磁石１１４が第１の位置にあるとき、磁石１１４から発生する磁力線の向きは、磁石１１４から紙面右斜め下方向（第１の方向）を向く。このとき、磁気センサ１２２は、磁力の密度が薄くなるため、磁石１１４からの磁力を検知しないように設定されている。磁石１１４が第２の位置にあるとき、磁力線の向きが磁石１１４から紙面下方向（第２の方向）、すなわち磁気センサ１２２の方向を向く。このとき、磁気センサ１２２は、磁力の密度が濃くなるため、磁石１１４からの磁力を検知するように設定されている。つまり、ヒンジ状バネ１３２は、磁石１１４から発生する磁力線の方向を第１の方向から第２の方向に変化させる磁力線変化手段である。そして、磁石１１４の磁力線の向きが第１の方向から第２の方向に向かう際、または、逆の方向に向かう際、磁気センサ１２２が磁力を検知し始める位置は、適宜に設定可能である。
【００７２】
（作用）
スイッチ装置５２には内視鏡画像の明るさをアップする機能が割り付けられていることとする。モニタ２０上の内視鏡像を明るくする場合を例にとってスイッチ装置５２の作用を説明する。  
図５（Ａ）に示すように、入力部１１２を押圧していない状態（第１の位置）では、ヒンジ状バネ１３２のバネ力により、磁石１１４から発生する磁力線の向きが第１の方向を向いている。このため、磁気センサ１２２は磁力を検知できずにＯＦＦの状態で保持される。
【００７３】
この後、図５（Ｂ）に示すように、入力部１１２を指などで押圧する。入力部１１２が変形して磁石１１４を押圧する。このとき、ヒンジ状バネ１３２のバネ力に抗してこのバネ１３２を閉じる。すなわち、磁石１１４からの磁力線の向きが第１の方向から第２の方向に向かって徐々に変化する。第２の方向に近接する位置に変化したとき、磁気センサ１２２は、磁石１１４からの磁力を検知してＯＮに切り替えられる。
【００７４】
この信号は、磁気センサ１２２、リジッド基板１２４、第２のコネクタ９２ｂ、第１のコネクタ９２ａ、信号伝達回路８０、図２に示すハーメチックコネクタ６６、カメラケーブル３４、図１に示すプラグ３４ａおよびレセプタクル１８ａを介してビデオプロセッサ１８に伝送されて処理される。したがって、モニタ２０上の内視鏡画像が一段階明るくなる。
【００７５】
ここで、入力部１１２から指を離すと、入力部１１２は自身の持つ弾性力により元の状態（第１の位置）に復元する。磁石１１４はヒンジ状バネ１３２の復元力により、元の状態に復元する。このとき、磁気センサ１２２は磁石１１４から、ある一定以上の磁力を検知することができずにＯＦＦの状態に切り替えられる。内視鏡画像の明るさは維持される。さらにもう一度入力部１１２を押圧すると、上述したように、内視鏡画像の明るさがさらに一段階アップする。
【００７６】
（効果）
この実施の形態によれば、第１の実施の形態で説明した効果と同じ効果を得ることができる。
【００７７】
［第４の実施の形態］
次に、第４の実施の形態について図６を用いて説明する。この実施の形態は第１ないし第３の実施の形態の変形例であって、第１ないし第３の実施の形態で説明した部材と同一の部材または同一の作用を有する部材には同一の符号を付し、詳しい説明を省略する。
【００７８】
（構成）
リモートスイッチ部５２は、図６（Ａ）に示すように、スイッチユニット８２（磁気センサ１２２）と、入力部１１２と、磁石１１４と、固定部材１１６と、板状部材１４２と、支軸１４４とを備えている。なお、図６（Ａ）および図６（Ｂ）中の磁気センサ１２２は、図５（Ａ）および図５（Ｂ）に示すスイッチユニット８２と同様に構成されているが、図示を簡略化するため、磁気センサ１２２以外の部材を省略して図示している。
【００７９】
入力部１１２からは、凹部１１２ａ（図３および図４参照）が除去されている。さらに、板バネ１１８（図３および図４参照）も除去されている。このため、入力部１１２と気密ユニット本体６２との間には、空間が形成されている。この空間には、板状部材１４２が配設されている。
【００８０】
ここで、気密ユニット本体６２には、段差部６２ａが形成されている。この段差部６２ａによって、気密ユニット本体６２は、その先端側に比べて基端側の径が小さく形成されている。この段差部６２ａは、入力部１１２の中心から気密ユニット本体６２の基端側に少しだけずれた位置に形成されている。
【００８１】
板状部材１４２は開いた角度が固定されたヒンジ型形状に形成されている。この板状部材１４２の一端には磁石１１４が接着剤などで一体的に固定されている。特に、この磁石１１４は、気密ユニット本体６２の外周面に近接する側に向けて固定されている。この磁石１１４は、気密ユニット本体６２の段差部６２ａによって形成される空間に配設される。
【００８２】
板状部材１４２の他端には入力部１１２の操作により押圧される押圧部１４２ａが形成されている。また、板状部材１４２は、図示しない接着や圧入などの手段により気密ユニット本体６２に一体化された支軸１４４に枢支されている。この支軸１４４は、入力部１１２の中心軸に対して直交する方向に設けられている。
【００８３】
入力部１１２は、操作されていないときの第１の位置（図６（Ａ）参照）と、入力部１１２が操作されたときの第２の位置（図６（Ｂ）参照）との間を、入力部１１２の操作に応じて移動自在である。ここで、磁石１１４が第１の位置にあるときには、磁力線の向きが磁石１１４から紙面下方向（第１の方向）、つまり後述する磁気センサ１２２の方向を向く。磁石１１４が第２の位置にあるときには、板状部材１４２が枢軸１４４を支軸として揺動して磁力線の向きが磁石１１４から紙面右斜め下方向（第２の方向）に向く。つまり、板状部材１４２は、磁石１１４が発生する磁力線の方向を第１の方向から第２の方向に変化させる磁力線変化手段である。
【００８４】
磁石１１４が第１の位置にあるときに、この磁石１１４に対向する気密ユニット本体６２の内部には、磁気センサ１２２が配設されている。磁気センサ１２２の出力信号は、プロセッサ１８により処理されてリモートスイッチ５２のＯＮ／ＯＦＦが切り替えられる。ここで、初期状態（図６（Ａ）に示す第１の位置）では磁気センサ１２２が磁石１１４の磁力を感知している。この状態をスイッチＯＦＦとする。一方、磁気センサ１２２が磁石１１４の磁力を感知しない、または、磁力を弱く感知する状態（図６（Ｂ）に示す第２の位置）になったら、リモートスイッチ部５２が操作されたものと認識する。そして、機能をＯＮに切り替える。ＯＦＦからＯＮへの切り替え、または、ＯＮからＯＦＦへの切り替える際の板状部材１４２の位置は、適宜に設定可能である。
【００８５】
（作用）
リモートスイッチ部５２には内視鏡画像の明るさをアップする機能が割り付けられていることとする。図示しないモニタ上の内視鏡像を明るくする場合を例にとってリモートスイッチ部５２の作用を説明する。  
図６（Ａ）に示すように、入力部１１２を押圧していない状態（第１の位置）では、磁石１１４の磁力線の向きが第１の方向を向いている。このため、磁気センサ１２２は磁石１１４からの磁力を感知している。
【００８６】
この後、図６（Ｂ）に示すように、入力部１１２を指などで押圧する。入力部１１２が変形し、板状部材１４２の押圧部１４２ａを押圧する。そして、支軸１４４を枢軸として板状部材１４２が回動する。このため、磁石１１４の磁力線の向きが第２の方向に変化する。このとき、磁気センサ１２２は磁石１１４からの磁力が弱くなったことを感知し、または、磁力の変化を感知する。すなわち、ＯＦＦからＯＮに切り替えられる。したがって、プロセッサ１８にその信号が出力される。プロセッサ１８は、その信号を処理して、モニタ２０上の内視鏡画像を一段階明るく表示させる。
【００８７】
ここで、入力部１１２から指を離すと、入力部１１２は自身の持つ弾性力により、また、磁石１１４は自重等により、元の状態に復元する。このとき、磁石１１４と磁力センサ１２２との関係は、第１の位置にある。このため、磁力センサ１２２は磁石１１４からの磁力がある一定以上よりも強くなったことを感知する。したがって、ＯＮからＯＦＦへの切り替えが行なわれる。すなわち、リモートスイッチ５２の出力が変化する。内視鏡画像の明るさは維持される。さらにもう一度入力部１１２を押圧すると、上述したように、内視鏡画像の明るさがさらに一段階アップする。
【００８８】
（効果）
このような第４の実施の形態によれば、入力部１１２の操作に応じて磁石１１４の磁力線の向きを変えることによって、リモートスイッチ５２のＯＮ／ＯＦＦを切り替えることができる。このとき、リモートスイッチ５２のストロークを小さくすることができる。したがって、操作性が良いリモートスイッチ５２を提供することができる。また、磁気センサ１２２のバラツキを考慮した磁石１１４を予め設置することによって、磁気センサ１２２を選別する必要もないため、リモートスイッチ５２を安価に製造することができる。
【００８９】
［第５の実施の形態］
（構成）
次に、第５の実施の形態について図７を用いて説明する。この実施の形態は、第４の実施の形態の変形例であって、第４の実施の形態で説明した部材と同一または同一の作用を有する部材には同一の符号を付し、詳しい説明を省略する。
【００９０】
図７（Ａ）および図７（Ｂ）に示すように、第５の実施の形態に係るリモートスイッチ５２は第４の実施の形態に対して、板状部材１４２の形状が異なる。ここで、支軸１４４と押圧部１４２ａとの間の距離をＬ１、支軸１４４と磁石１１４との間の距離をＬ２としたとき、板状部材１４２は、距離Ｌ２の方が距離Ｌ１よりも長く形成されている。入力部１１２が操作された際の押圧部１４２ａの移動量をＤ１とし、入力部１１２が操作された際の磁石１１４の移動量をＤ２とすると、移動量Ｄ１よりも移動量Ｄ２の方が大きい。
【００９１】
（作用）
この実施の形態の作用は、第４の実施の形態で説明した作用と同一であるから、説明を省略する。
【００９２】
（効果）
この実施の形態によれば、第４の実施の形態と同じ効果のほか、少しのストロークで大きな磁石１１４を大きく移動させることができる。このため、磁石１１４からの磁力線の方向が変化すること以外に磁石１１４が離れて磁力を弱める効果を同時に得ることができ、第４の実施の形態と比べて、より少ないストロークでリモートスイッチ５２のＯＮ／ＯＦＦを切り替えることができる。
【００９３】
［第６の実施の形態］
次に、第６の実施の形態について図８を用いて説明する。この実施の形態は第３ないし第５の実施の形態の変形例であって、第３ないし第５の実施の形態で説明した部材と同一の部材または同一の作用を有する部材には同一の符号を付し、詳しい説明を省略する。
【００９４】
（構成）
リモートスイッチ部５２は、図８（Ａ）に示すように、スイッチユニット８２（磁気センサ１２２）と、入力部１１２と、磁石１１４と、固定部材１１６と、変形部材１５２とを備えている。なお、図８（Ａ）および図８（Ｂ）中の磁気センサ１２２は、図５（Ａ）および図５（Ｂ）に示すスイッチユニット８２と同様に構成されているが、図示を簡略化するため、磁気センサ１２２以外の部材を省略して図示している。
【００９５】
入力部１１２からは、凹部１１２ａ（図３および図４参照）が除去されている。さらに、板バネ１１８（図３および図４参照）も除去されている。このため、入力部１１２と気密ユニット本体６２との間には、空間が形成されている。この空間には、変形部材１５２が配設されている。
【００９６】
変形部材１５２は、第１の蛇腹１５４ａを有する大径部１５６と、第２の蛇腹１５４ｂを有する小径部１５８とを気密状態に備えている。入力部１１２の中心軸上には、大径部１５６が配設されている。一方、小径部１５８は、外装４４の凹部４４ｃと気密ユニット本体６２との間に配設されている。小径部１５８の先端には、磁石１１４が接着などにより一体化されている。
【００９７】
入力部１１２が操作されていないときの第１の位置（図８（Ａ）参照）と、入力部１１２が操作されたときの第２の位置（図８（Ｂ）参照）とが、入力部１１２の操作に応じて移動自在である。
【００９８】
なお、磁気センサ１２２の出力信号は、プロセッサ１８により処理されてリモートスイッチ５２のＯＮ／ＯＦＦを切り替える。そして、図８（Ａ）に示す初期状態（第１の位置）では磁気センサ１２２が磁石１１４の磁力を感知しておらず、この状態をＯＦＦとする。一方、図８（Ｂ）に示す第２の位置では、磁気センサ１２２が磁石１１４の磁力を感知する。この状態をＯＮとする。磁石１１４が第１の位置から第２の位置に移動する際に生じる磁力の変化によってＯＦＦからＯＮ、ＯＮからＯＦＦへの切り替え位置は適宜に設定される。
【００９９】
（作用）
リモートスイッチ部５２には内視鏡画像の明るさをアップする機能が割り付けられていることとする。モニタ２０上の内視鏡像を明るくする場合を例にとってリモートスイッチ部５２の作用を説明する。  
図８（Ａ）に示すように、入力部１１２を押圧していない状態（第１の位置）では、磁石１１４の磁力線の向きが第１の方向を向いている。このため、磁気センサ１２２はある一定以上の磁力を感知していない。したがって、ＯＦＦの状態にある。
【０１００】
この後、図８（Ｂ）に示すように、入力部１１２を指などで押圧する。入力部１１２が変形し、変形部材１５２が押圧される。このとき、大径部１５６の第１の蛇腹１５４ａが圧縮され、変形部材１５２内の空気は小径部１５８の方に流れる。したがって、小径部１５８の第２の蛇腹１５４ｂが延びる。すると、小径部１５８の先端に取り付けられた磁石１１４が移動する。したがって、磁力線の向きが第２の方向に変化する。そうすると、磁気センサ１２２は磁石１１４からの磁力を感知する。したがってＯＮに切り替えられる。このため、内視鏡像の明るさが一段階アップする。
【０１０１】
ここで、入力部１１２から指を離すと、入力部１１２は自身の持つ弾性力により元の状態（第１の位置）に復元する。変形部材１５２は小径部１５８から大径部１５６に空気が流れることによって、第２の蛇腹１５４ｂが収縮し、第１の蛇腹１５４ａが伸張する。したがって、変形部材１５２が元の状態に復元する。このとき、磁気センサ１２２は磁石１１４から、ある一定以上の磁力を検知することができずにＯＦＦの状態に切り替えられる。内視鏡画像の明るさは維持される。さらにもう一度入力部１１２を押圧すると、前記と同様な作用により、再び内視鏡像の明るさが一段階アップする。
【０１０２】
（効果）
このような第６の実施の形態によれば、入力部１１２の操作に応じて磁力線の向きを変えることによって、リモートスイッチ５２のＯＮ／ＯＦＦを切り替えることができる。したがって、リモートスイッチ５２のストロークを小さくすることができ、操作性を向上させることができる。なお、変形部材１５２に大径部１５６と小径部１５８とを設けているため、より少ないストロークでの操作を行なうことが可能となる。
【０１０３】
また、磁気センサ１２２のバラツキを考慮した磁石１１４を予め設置することによって、磁気センサ１２２を選別する必要もないため、リモートスイッチ５２を安価に製造することができる。
【０１０４】
［第７の実施の形態］
次に、第７の実施の形態について図９を参照しながら説明する。この実施の形態は、第１の実施の形態の変形例であって、第１の実施の形態で説明した部材と同一の部材もしくは同一の作用を有する部材には同一の符号を付し、詳しい説明を省略する。
【０１０５】
（構成）
カメラヘッド１４は、内視鏡１２を接続可能なマウント４２と、観察光学パーツを内蔵する気密パッケージ４６と、ヘッド外装４４と、リモート操作を行なうスイッチ部５２とを備えている。
【０１０６】
気密パッケージ４６の構造について説明する。  
気密枠（気密ユニット本体）６２は、例えばステンレス鋼材により筒状に形成されている。この気密枠６２の左端にはカバーガラス６４が接着により固定されている。さらに、カバーガラス６４の後端側には光学系（撮像レンズ群）７４が構成されている。光学系７４の後端側には固体撮像素子７８が気密枠６２に接着により固定されている。
【０１０７】
固体撮像素子７８からの信号を処理する処理基板８０が固体撮像素子７８と半田付けにより接続されている。処理基板８０の他端はコネクタ６６と半田付けにより接合されている。磁気センサ１２２は、気密枠６２の内周面であって、スイッチ５２に内蔵されている後述する固定磁石２０４と、より接近する位置に接着により固定されている。磁気センサ１２２は信号ケーブル９２を介してコネクタ６６の接点と半田付けにより接合されている。磁気センサ１２２は気密枠６２とロウ付けにより接合されて固定されている。
【０１０８】
以上の構成により、気密パッケージ４６は完全に封止されている。光学部品や磁気センサ１２２はこの気密パッケージ４６により、外界からの液体や蒸気などの浸入による影響を受けることが防止されている。
【０１０９】
このコネクタ６６の背面にはケーブルコネクタ６６ｃが接合されている。このケーブルコネクタ６６ｃは基板６６ｄと半田付けにより接合されている。基板６６ｄにはカメラケーブル３４の信号線が１本ずつ半田付けされている。
【０１１０】
ヘッド外装４４はマウント４２、気密枠６２と接着により固定されている。さらに、ヘッド外装４４の後端には、カメラケーブル３４の信号線を束ねるカシメリング３４ｂとケーブル３４の座屈を防止するオレドメ３４ｃとが接着により固定されている。カメラケーブル３４の他端のプラグ３４ａは、ビデオプロセッサ１８（図１参照）に対してビデオコネクタ１８ａを介して電気的に接続される。
【０１１１】
次に、リモート操作を行なうスイッチ部５２について説明する。スイッチ５２は、入力部１１２と、棒状の可動磁石２０２と、固定磁石２０４と、コイルバネ２０６とを備えている。この入力部１１２は、硬質のプラスチック材などにより形成されている。
【０１１２】
入力部１１２は、外装４４の貫通溝４４ａに配設されている。この入力部１１２は、上端（一端）が閉塞された筒状に形成されている。コイルバネ２０６は、気密枠６２の外周面と入力部１１２の下端（他端）との間に配設されている。このため、入力部１１２は、コイルバネ２０６によって、外装４４の径方向外方に向かって付勢されている。
【０１１３】
可動磁石２０２は、コイルバネ２０６を挿通した状態で、入力部１１２の上端に接着により固定されている。一方、入力部１１２の内部には、固定磁石２０４を挿入可能な空間が形成されている。すなわち、入力部１１２には、可動磁石２０２と固定磁石２０４との両者を配設可能な空間が形成されている。
【０１１４】
ここで、可動磁石２０２および固定磁石２０４は、共に棒状に形成されている。可動磁石２０２は、入力部１１２の上端側にＮ極が配置され、気密枠６２に近接する側にＳ極が配置されている。固定磁石２０４は、入力部１１２の上端側に近接する側にＮ極が配置され、気密枠６２に載置された側にＳ極が配置されている。そして、入力部１１２を押圧していない初期状態においては、可動磁石２０２のＳ極と固定磁石２０４のＮ極との間に引力が働いている。このため、固定磁石２０４に対する可動磁石２０２の位置、すなわち、外装４４に対する入力部１１２の初期位置（第１の位置）が２つの磁石２０２，２０４によって規定される。
【０１１５】
（作用）
外装４４に対して入力部１１２を押圧することにより、可動磁石２０２が気密枠６２に近接する方向に移動する。このため、可動磁石２０２のＳ極と固定磁石２０４のＳ極とが近接する。したがって、可動磁石２０２と固定磁石２０４との間に急激な磁界の変化が発生する。その結果、ステンレス鋼材製の気密筒６２を磁界が透過し、磁気センサ１２２に磁界の変化を与える。
【０１１６】
つまり、入力部１１２を外装４４に対して押圧し、または、入力部１１２から指を離してバネ２０６の付勢力によって入力部１１２を元の位置に戻すと、磁気センサ１２２がＯＮ／ＯＦＦの切り替えを行なう。この磁気センサ１２２からの出力は、信号ケーブル９２、コネクタ６６、ケーブルコネクタ６６ｃ、基板６６ｄ、プラグ３４ａを介してビデオプロセッサ１８に伝達する。したがって、入力部１１２の操作によるリモート操作が可能となる。
【０１１７】
（効果）
以上説明したように、この実施の形態によれば、以下のことが言える。  
磁気センサ１２２を気密パッケージ４６の内部に設けたことにより、液体や蒸気による影響を受けることを防止することができるので、磁気センサ１２２を故障し難くすることができる。このため、確実にリモートスイッチ操作による電気信号をビデオプロセッサ１８に伝達することができる。
【０１１８】
なお、この実施の形態では、カメラヘッド１４には、第１の実施の形態で説明したフォーカス調整部５０が設けられていない場合について説明した。カメラヘッド１４には、第１の実施の形態で説明したフォーカス調整部５０と同様の構成のフォーカス調整部５０が設けられていることも好適である。
【０１１９】
［第８の実施の形態］
次に、第８の実施の形態について図１０を用いて説明する。この実施の形態は、第７の実施の形態の変形例であって、第７の実施の形態で用いた部材と同一の部材もしくは同一の作用を有する部材には同一の符号を付し、詳しい説明を省略する。
【０１２０】
（構成）
この実施の形態では、固定磁石２０４を１対設けている。固定磁石２０４のＮ極およびＳ極の向きは、同じ方向に向けられている。そして、固定磁石２０４の間には、可動磁石２０２を挿脱可能な空間が形成されている。可動磁石２０２のＮ極およびＳ極の向きは、固定磁石２０４とは逆向きである。
【０１２１】
（作用）
この実施の形態の作用は、第７の実施の形態と同様な作用となるので、説明を省略する。
【０１２２】
（効果）
固定磁石２０４をさらに１つ追加するという、簡単な構成にも関わらず、磁界の変化をより急激に行なうことが可能となり、磁気センサ１２２の誤検知を低減させることができる。
【０１２３】
［第９の実施の形態］
次に、第９の実施の形態について図１１を用いて説明する。この実施の形態は第７および第８の実施の形態の変形例であって、第７および第８の実施の形態で説明した部材と同一の部材もしくは同一の作用を有する部材には同一の符号を付し、詳しい説明を省略する。
【０１２４】
（構成）
図１１に示すように、固定磁石２０４（図９および図１０参照）が１つの円筒磁石２０８に置き換えられている。
【０１２５】
（作用）
この実施の形態の作用は、第７の実施の形態と同様な作用となるので、説明を省略する。
【０１２６】
（効果）
この実施の形態によれば、以下ことが言える。  
可動磁石２０２に対して、対向する固定磁石２０４を円筒磁石２０８に変更したことにより、第８の実施の形態よりさらに磁界の変化を急激に行なうことが可能となり、さらに磁気センサ１２２の検知能力を向上させることができる。
【０１２７】
磁石の特性上、磁石同士は磁着するので、作業は非常に煩わしい。しかし、磁石の個数が少ないほど組み立て性は向上する。円筒磁石２０８を１つにしたことにより、第８の実施の形態より組み立て性を向上させることができる。
【０１２８】
［第１０の実施の形態］
次に、第１０の実施の形態について図１２および図１３を参照して説明する。この実施の形態は第７の実施の形態の変形例であって、第７の実施の形態で説明した部材と同一の部材もしくは同一の作用を有する部材には同一の符号を付し、詳しい説明を省略する。
【０１２９】
図１２ではカメラヘッド１４の観察光学系７４，７８を有する気密パッケージ４６と、カメラヘッド外装４４に設けられたリモートスイッチ構成部５２の状態を示す。図１３は図１２のＸＩＩＩ−ＸＩＩＩ断面の状態を示す。
【０１３０】
（構成）
図１２に示すように、カメラヘッド１４は、主な構成パーツとして、内視鏡１２を接続可能なマウント４２と、ヘッド外装４４と、観察光学パーツを内蔵する気密パッケージ４６と、リモート操作を行なうスイッチ部５２とを備えている。
【０１３１】
以下、リモート操作を行なうスイッチ部５２の構造について説明する。  
図１３に示すように、スイッチ部５２は、スイッチ板（入力部）１１２と、回転軸２１２と、回転磁石２１４と、固定磁石２１６とを備えている。外装４４と気密パッケージ４６の気密枠６２との間には、スイッチ板１１２の中心部が回転軸２１２によって貫通されて回動可能に枢支されている。この回転軸２１２は、カメラヘッド１４の中心軸に対して直交する方向に延出されている。回転軸２１２の両端部は、図１３に示すように、ヘッド外装４４の内径部に接着により固定されている。そして、スイッチ板１１２は、外装４４の貫通孔４４ｂを通して外部に延出されている。したがって、スイッチ板１１２を操作すると、固定された回転軸２１２に対してスイッチ板１１２が回動する。
【０１３２】
図１２および図１３に示すように、スイッチ板１１２には棒状の回転磁石２１４が接着により固定されている。図１３に示すように、回転軸２１２には、固定磁石２１６が接着されて固定されている。回転磁石２１４と固定磁石２１６とは互いに対して平行に離間された状態で配設されている。回転磁石２１４のＳ極およびＮ極、固定磁石２１６のＳ極およびＮ極の向きは図１３に示すように設定されている。
【０１３３】
（作用）
カメラヘッド１４を手で把持し、スイッチ板１１２を回転軸２１２の回りに回動させる。すなわち、スイッチ板２１２を前後に倒す。スイッチ板１１２とともに回動する回転磁石２１４と、回転軸２１２に固定された固定磁石２１６との間で磁界の変化が発生する。磁界の変化はステンレス鋼材製の気密筒６２の壁を透過して磁気センサ１２２に影響（磁界の変化）を与える。このため、磁気センサ１２２から発せられた電気信号は信号ケーブル９２、コネクタ６６，６６ｃ、基板６６ｄ、カメラケーブル３４を介してビデオプロセッサ１８に送られる。このため、設定したリモート操作のＯＮ／ＯＦＦが切り替えられる。
【０１３４】
（効果）
磁気センサ１２２を気密パッケージ４６の内部に設けたことにより、液体や蒸気により磁気センサ１２２を故障させ難くすることができる。
【０１３５】
［第１１の実施の形態］
次に、第１１の実施の形態について図１４を参照しながら説明する。この実施の形態は、第１０の実施の形態の変形例であって、第１０の実施の形態で説明した部材と同一の部材もしくは同一の作用を有する部材には同一の符号を付し、詳しい説明を省略する。
【０１３６】
（構成）
本実施の形態では図１２および図１３に示すスイッチ板１１２と、回転磁石２１４の構造のみが変更されている。  
図１４に示すように、スイッチ部５２は、マグネットベース２２２と、回転軸２１２と、回転磁石２１４と、固定磁石２１６（図１４には図示せず）と、スイッチピン（入力部）１１２と、コイルバネ２２４とを備えている。  
外装４４と気密パッケージ４６の気密ユニット本体６２との間には、マグネットベース２２２の中心部が回転軸２１２によって貫通されて回動可能に枢支されている。この回転軸２１２は、カメラヘッド１４の中心軸に対して直交する方向に延出されている。マグネットベース２２２は略円盤状に形成されている。このマグネットベース２２２の一部の外周面には、小歯車（ピニオン）２２２ａが形成されている。
【０１３７】
スイッチピン１１２は、外装４４の貫通孔４４ｂに貫通され、上端が外装４４の外部に配設され、下端がコイルバネ２２４によってその軸方向に移動可能に支持されている。このコイルバネ２２４は、気密枠６２の外周面に接着により固定されている。スイッチピン１１２は、コイルバネ２２４によって、ヘッド外装４４の外方に向かって常に付勢されている。このスイッチピン１１２には、上述したマグネットベース２２２の小歯車２２２ａに噛み合うラック１１２ｂが形成されている。このため、スイッチピン１１２を回転させると、そのラック１１２ｂからマグネットベース２２２の小歯車２２２ａに動力が伝達されて、マグネットベース２２２が回転軸２１２の軸回りに回動する。
【０１３８】
（作用）
スイッチピン１１２の上端を外装４４に向かって押圧することにより、スイッチピン１１２に構成されているラック１１２ｂがマグネットベース２２２に構成されているピニオン２２２ａと噛み合っているので、マグネットベース２２２が回動する。マグネットベース２２２の回動により、回転磁石２１４と固定磁石２１６との間で第１０の実施の形態と同様に磁界の変化が発生し、磁気センサ１２２に磁界の変化を与える。その結果としてスイッチ動作によりリモート操作のＯＮ／ＯＦＦが切り替えられる。
【０１３９】
（効果）
第１０の実施の形態と同様な効果が得られる。  
ラック１１２ｂとピニオン２２２ａの比を適宜に変更することにより、第１０の実施の形態よりも急激に磁界を変化させることができる。また、比を適宜に設定することによって、誤検知を低減させることができる。
【０１４０】
［第１２の実施の形態］
次に、第１２の実施の形態について図１５を用いて説明する。この実施の形態は第１の実施の形態の変形例であって、第１の実施の形態で説明した部材と同一の部材または同一の作用を有する部材には同一の符号を付し、詳しい説明を省略する。  
（構成）
図１５に示すように、本実施の形態の内視鏡用撮像装置１４のスイッチ装置５２は、外装４４と、気密ユニット４６と、撮像部７８と、温度センサ２３２と、第１および第２の良熱伝導体２３４，２３６とを備えている。  
温度センサ２３２および撮像部７８は、気密ユニット４６の気密枠６２の内部に配設されている。温度センサ２３２と気密枠６２との間には、第１の良熱伝導体２３４が配設されている。気密枠６２と外装４４との間には、第２の良熱伝導体２３６が配設されている。第１および第２の良熱伝導体２３４，２３６は、気密枠６２を挟んで対向する位置に配設されている。
【０１４１】
（作用）
操作者が指を第１および第２の良熱伝導体２３４，２３６の付近の外装４４に触れる。すると、操作者の体温による熱が外装４４、第２の良熱伝導体２３６、気密枠６２、第１の良熱伝導体２３４、温度センサ２３２に順次伝達され、温度センサ２３２がＯＮとなる。温度センサ２３２のＯＮの信号は信号線９２を通じてプロセッサ１８（図１参照）に送られて例えば外部記録装置（図示せず）のレリーズなどのリモート操作が行なわれる。指を離すと、熱供給源がなくなるため、ＯＮの場合と逆の経路で熱が伝達され、外気に放散されて冷やされるため温度センサ２３２がＯＦＦとなる。
【０１４２】
（効果）
この実施の形態によれば、以下のことが言える。  
気密枠６２の外側、すなわち蒸気が作用する場所に特別な部材を配置することなく操作をすることが可能となる。したがって、操作性を犠牲にすることなく高圧蒸気滅菌に対する耐久性が著しく向上した撮像装置１４を提供することができる。
【０１４３】
［第１３の実施の形態］
次に、第１３の実施の形態について図１６を参照しながら説明する。この実施の形態は第１２の実施の形態の変形例であって、第１２の実施の形態で説明した部材と同一の部材もしくは同一の作用を有する部材には同一の符号を付し、詳しい説明を省略する。
【０１４４】
（構成）
図１６は第１２の実施の形態の第２の良熱伝導体２３６の近傍を示す。  
本実施の形態の内視鏡用撮像装置１４のスイッチ装置５２は、第１２の実施の形態と同様の構成を備えている。そして、第２の良熱伝導体２３６の近傍の外装４４には、操作用のくぼみ４４ｅが形成されている。
【０１４５】
（作用）
第１２の実施の形態と同様に、操作者が指を第２の良熱伝導体２３６の付近の外装４４に設けられたくぼみ４４ｅの底部に触れると、操作者の体温による熱が外装４４、第２の良熱伝導体２３６、気密枠６２、第１の良熱伝導体２３４、温度センサ２３２と伝わり、温度センサ２３２がＯＮとなる。くぼみ４４ｅのために外装４４の該当部分は相対的に薄く構成されているので、熱の伝達が比較的良好である。
【０１４６】
（効果）
第１２の実施の形態で説明した効果に加え、より反応に勝るスイッチを提供できる。
【０１４７】
［第１４の実施の形態］
次に、第１４の実施の形態について図１７を用いて説明する。この実施の形態は、第１２および第１３の実施の形態の変形例であって、第１２および第１３の実施の形態で説明した部材と同一の部材もしくは同一の作用を有する部材には同一の符号を付し、詳しい説明を省略する。
【０１４８】
（構成）
図１７（Ａ）に示すように、本実施の形態の内視鏡用撮像装置１４のスイッチ装置５２は、気密枠６２と、振動源２５２と、振動検出センサ（振動検出手段）２５４とを備えている。気密枠６２には、薄肉部６２ｂが形成されている。振動源２５２は、例えばピエゾ素子などにより形成されている。この振動源２５２は、振動検出センサ２５４と気密枠６２の薄肉部６２ｂとの間に狭持されている。
【０１４９】
（作用）
振動源２５２に電流を流すことにより、振動源２５２を振動させる。このとき、振動源２５２と振動検出センサ２５４、気密枠６２の薄肉部６２ｂは、ともに特定の固有振動数で振動する。そして、振動検出センサ２５４はその振動を検出する。
【０１５０】
ここで、図１７（Ｂ）に示すように操作者がその指を気密枠６２の薄肉部６２ｂに触れる。指を薄肉部６２ｂに押し付ける力により振動源２５２による振動が抑制されて振動が止められる。すると、振動検出センサ２５４で振動源２５２からの振動を検出できなくなる、または、振動数が大きく変化する。このため、操作者により操作がされたことが検出される。すなわち、振動が検出されている間はスイッチとしてはＯＦＦ、振動が検出されない間はスイッチとしてはＯＮと判断することができる。
【０１５１】
（効果）
気密枠６２の外側すなわち蒸気が作用する場所に特別な部材を配置することなく操作をすることが可能となるので、操作性を犠牲にすることなく高圧蒸気滅菌に対する耐久性が著しく向上した撮像装置１４を提供することができる。
【０１５２】
［第１５の実施の形態］
次に、第１５の実施の形態について図１８（Ａ）および図１８（Ｂ）を用いて説明する。この実施の形態は、第１４の実施の形態の変形例である。第１４の実施の形態と同様に撮像装置本体部分は省略し、スイッチ機構近傍のみについて説明する。
【０１５３】
（構成）
図１８（Ａ）に示すように、内視鏡用撮像装置１４のスイッチ装置５２は、第１４の実施の形態と同様の構成を持ちつつ、気密枠６２の薄肉部６２ｂの近くで操作により薄肉部６２ｂに嵌まるように重り２５６が配されている。
【０１５４】
（作用）
振動源２５２に電流を流すことにより、振動を起こす。振動源２５２、振動検出センサ２５４および気密枠６２の薄肉部６２ｂは一体となって振動する。ここで、振動源２５２の振動数は、共振によって振幅が大きくなることを防止するように、その振動数が固有振動数から外され、かつ、操作者によって重り２５６が薄肉部６２ｂに嵌められて一体になったときにその振動数が固有振動数となるように振動する。重り２５６が接触していない状態では振幅は小さく、振動検出センサ２５４はその振動を検出できないが、重り２５６が薄肉部６２ｂに嵌められたことにより共振すると振幅が大きくなる。このため、振動検出センサ２５４は振動を検出してＯＮの信号を発する。このことにより、操作者により操作されたことが検出される。
【０１５５】
（効果）
気密枠６２の外側すなわち蒸気が作用する場所に特別な部材を配置することなく操作をすることが可能となるので、操作性を犠牲にすることなく高圧蒸気滅菌に対する耐久性が著しく向上した撮像装置１４を提供することが可能となる。
【０１５６】
［第１６の実施の形態］
次に、第１６の実施の形態について図１９（Ａ）ないし図１９（Ｃ）を用いて説明する。この実施の形態は第１２の実施の形態の変形例であって、第１２の実施の形態で説明した部材と同一の部材または同一の作用を有する部材には同一の符号を付し、詳しい説明を省略する。
【０１５７】
（構成）
図１９（Ａ）に示すように、本実施の形態の内視鏡用撮像装置１４のスイッチ装置５２は、図示しない撮像素子や光学部材を気密状態に囲って保持する気密ユニット４６と、外装４４と、磁気センサ１２２と、磁気センサ１２２の位置を示すために外装４４に設けられたくぼみ４４ｅと、操作者の指先に取り付けられた操作具２７２とを備えている。
【０１５８】
図１９（Ｂ）および図１９（Ｃ）に示すように、操作具２７２は、弾性環状部２７４と永久磁石２７６とを備えている。この弾性環状部２７４には、永久磁石２７６が固定されている。弾性環状部２７４を用いて操作者は指先に固定する。この弾性環状部２７４はおおよそ指の太さに作製されている。そして、操作具２７２は、弾性環状部２７４の弾性を利用して指先に固定される。永久磁石２７６をくぼみ４４ｅに合わせ易いように例えば指の腹側に永久磁石２７６が来るように操作具２７２を装着する。くぼみ４４ｅは例えば印刷などにより磁気センサ１２２の位置が認識可能なように形成されていることが好適である。
【０１５９】
（作用）
操作者は、準備として操作具２７２を指先に取り付ける。このとき、操作具２７２の弾性環状部２７４の弾性を利用して指先に固定する。操作を行なうときには操作者が操作具２７２を取り付けた指をくぼみ４４ｅに近づけ、操作具２７２が外装４４に接触すると、永久磁石２７６の磁力が磁力センサ１２２に働き、磁力センサ１２２がＯＮになる。磁力センサ１２２から遠ざけると磁力センサ１２２に働く磁力が弱くなり磁力センサ１２２はＯＦＦとなる。
【０１６０】
（効果）
気密枠６２の外側すなわち蒸気が作用する場所に特別な部材を配置することなく操作をすることが可能となるので、操作性を犠牲にすることなく高圧蒸気滅菌に対する耐久性が著しく向上した撮像装置１４を提供することが可能となる。
【０１６１】
［第１７の実施の形態］
次に、第１７の実施の形態について図２０を用いて説明する。この実施の形態は第１６の実施の形態の変形例である。
【０１６２】
（構成）
図２０には第１６の実施の形態の操作具２７２に相当する棒状操作具２７２を示す。図２０に示すように、内視鏡用撮像装置１４のスイッチ装置５２は、第１６の実施の形態と同様の構成を持ちつつ、棒状の保持部２７４と、この保持部２７４の先端に固定された永久磁石２７６とを備えている。
【０１６３】
（作用）
第１６の実施の形態と同様に、操作者が保持部２７４の先端に設けられた永久磁石２７６を、磁力センサ１２２の位置を示すために外装４４に設けられたくぼみ４４ｅに近づける。すると、永久磁石２７６の磁力が磁力センサ１２２に働き、磁力センサ１２２がＯＮとなる。
【０１６４】
［第１８の実施の形態］
次に、第１８の実施の形態について図２１ないし図２３を用いて説明する。  
本実施の形態は、極性を有する磁性体ユニット３１０において、簡易な操作によりその極性状態を変化させることができるものについて説明する。
【０１６５】
磁性体においてその極性を急峻に変化させるためには、この磁性体の大きさに比してさらに大きなストロークによる磁性体自体の移動を伴うため、簡便に極性を切り替えることは難しい。また、電磁石においては電流方向を切り替えることで極性の変更が可能であるが、それには電気エネルギーの関与が必須である。ここでは、小さなストロークで省スペース化可能であり、かつ電源を必要とせず急激な極性切り替えが可能な磁性体ユニット３１０の構成について説明する。
【０１６６】
（構成）
図２１に示すように、磁性体ユニット３１０は、２枚の鉄板などのそれ自体は磁化されていない透磁性板３１２，３１４と、その間に挟まれた１つ以上の永久磁石３１６とを備えている。透磁性板３１２，３１４は、好ましくは、磁性体により形成されている。永久磁石３１６は円柱形状に形成されている。この永久磁石３１６の磁極はこの円柱の中心軸とは鉛直方向に並んで位置する。永久磁石３１６は通常、複数（小型のものを多数設けるのが望ましい）設けられる。これら永久磁石３１６の磁極方向は、全ての永久磁石３１６において略一致するように配置されている。
【０１６７】
（作用）
操作者が、他方の透磁性板３１４に対して一方の透磁性板３１２を操作した際の挙動を図２２（Ａ）および図２２（Ｂ）に示す。
【０１６８】
一方の透磁性板３１２を他方の透磁性板３１４に対して移動させる。すると、透磁性板３１２，３１４間に挟まれた永久磁石３１６は全て円柱側面で回動する。このため、これら永久磁石３１６は、その極性の向きを回動によって変化させる。そうすると、磁性体ユニット３１０全体としての極性が変化する。
【０１６９】
（効果）
操作者は一方の透磁性板３１２を僅かに動かすだけで磁性体ユニット３１０の磁極状態をきわめてドラスティックに切り替えることが可能となる。したがって、例えば透磁性板３１４の近傍にホール素子１２２などの磁気センサを設置しておくとこの磁性の変化を検知できスイッチ構造を形成することが可能となったりする。
【０１７０】
（作成法）
図２３に磁性体ユニット３１０の作成法を一例として例示する。  
一方の透磁性板３１２の片側面に電磁石３１８を取り付ける。そして、この電磁石３１８に電流を流して励磁させる。この状態で透磁性板３１２の反対側面に永久磁石３１６を並べる（取り付ける）。すると、電磁石３１８の励磁作用によって、永久磁石３１６がその場で回転して磁極が揃えられた状態で並べられる。この状態でもう一方の透磁性板３１４を取り付けて永久磁石を挟んで固定する。
【０１７１】
［第１９の実施の形態］
次に、第１９の実施の形態について図２４ないし図２７を用いて説明する。この実施の形態は第１８の実施の形態の変形例であって、第１８の実施の形態で説明した部材と同一の部材または同一の作用を有する部材には同一の符号を付し、詳しい説明を省略する。  
第１８の実施の形態で説明した磁性体ユニット３１０の動きの信頼性を増すための構成はいくつか考えられる。例えば、永久磁石３１６の円柱側面を粗面に形成し、かつ透磁性板３１２，３１４の永久磁石３１６の設置側面を粗面として、透磁性板３１２の移動により確実に永久磁石３１６が回動する構成とする。
【０１７２】
あるいは、透磁性板３１２，３１４による永久磁石３１６の保持性能を向上させるために、各永久磁石３１６を円柱形には形成しない。例えば、図２４に示すように、中央部に太径部３２２を有するような形状に形成する。一方で透磁性板３１２，３１４において該太径部３２２にあたる部分には溝３１２ａ，３１４ａを形成し、磁性体ユニット３１０の構成時には溝３１２ａ，３１４ａに太径部３２２が嵌入するような構造をとる。このようにすれば不用意な永久磁石３１６の落下が妨げられる。  
なお、図２５に示すように、太径部は永久磁石３１６の両端部、あるいは少なくとも片端部に設けるようにしても良い。
【０１７３】
さらに、操作者による透磁性板３１２の過剰な移動操作を防ぐための規制手段を設けることも効果的である。例えば図２６に示すように、透磁性筺体３２６に磁性体ユニット３１０自体を嵌入し、この筺体３２６内の範囲でのみ透磁性板３１２および永久磁石３１６の移動を許すように規制をすると、磁性体ユニット３１０の分解が防げるため有用である。さらに、筺体３２６に蓋体３３２を取り付け、この蓋体３３２に形成された穴３３２ａを介して透磁性板３１２を移動操作するようにすれば確実である。
【０１７４】
もちろん、移動操作させるのは透磁性板３１２ではなく他方の透磁性板３１４としても良い。両者間が相対的に移動していれば良い。また、透磁性板３１２，３１４は説明の便宜上板形状としているが、必ずしも板状とする必要はない。透磁性板３１２，３１４間で永久磁石３１６を所望の量だけ回動操作できることが重要である。
【０１７５】
なお、もちろん、永久磁石３１６については円柱形状にこだわる必要はなく、透磁性板３１２，３１４との間で回動可能な形状であればどのような形状としても良い。例えば、歯車形状なども好適である。この場合、透磁性板３１２，３１４にはラックが形成される。また、永久磁石３１６は球形も好適である。
【０１７６】
また、操作性の異なる変形例として、図２７に示すようなベアリング形状が考えられる。これは永久磁石３１６を球形に形成し、円板あるいはリング板形状の透磁性板３１２，３１４で挟み込んだ基本構造を有しており、透磁性板３１２を軸３３６を中心として回転させることで上記例と同様の効果を得ることが可能である。
【０１７７】
これまで、いくつかの実施の形態について図面を参照しながら具体的に説明したが、この発明は、上述した実施の形態に限定されるものではなく、その要旨を逸脱しない範囲で行なわれるすべての実施を含む。
【図面の簡単な説明】
【０１７８】
【図１】本発明の第１の実施の形態に係る内視鏡装置を示す概略図。
【図２】本発明の第１の実施の形態に係る内視鏡装置の内視鏡用撮像装置の構造を示す概略的な縦断面図。
【図３】（Ａ）および（Ｂ）は、本発明の第１の実施の形態に係る内視鏡装置における内視鏡用撮像装置のスイッチ装置を示す概略的な縦断面図。
【図４】（Ａ）および（Ｂ）は、本発明の第２の実施の形態に係る内視鏡装置における内視鏡用撮像装置のスイッチ装置を示す概略的な縦断面図。
【図５】（Ａ）および（Ｂ）は、本発明の第３の実施の形態に係る内視鏡装置における内視鏡用撮像装置のスイッチ装置を示す概略的な縦断面図。
【図６】（Ａ）および（Ｂ）は、本発明の第４の実施の形態に係る内視鏡装置における内視鏡用撮像装置のスイッチ装置を示す概略的な縦断面図。
【図７】（Ａ）および（Ｂ）は、本発明の第５の実施の形態に係る内視鏡装置における内視鏡用撮像装置のスイッチ装置を示す概略的な縦断面図。
【図８】（Ａ）および（Ｂ）は、本発明の第６の実施の形態に係る内視鏡装置における内視鏡用撮像装置のスイッチ装置を示す概略的な縦断面図。
【図９】本発明の第７の実施の形態に係る内視鏡装置の内視鏡用撮像装置の構造を示す概略的な縦断面図。
【図１０】本発明の第８の実施の形態に係る内視鏡装置の内視鏡用撮像装置のスイッチ装置に設けられる磁石の配置を示す概略図。
【図１１】本発明の第９の実施の形態に係る内視鏡装置の内視鏡用撮像装置のスイッチ装置に設けられる磁石の配置を示す概略図。
【図１２】本発明の第１０の実施の形態に係る内視鏡装置の内視鏡用撮像装置の構造を示す概略的な縦断面図。
【図１３】本発明の第１０の実施の形態に係る内視鏡装置における内視鏡用撮像装置のスイッチ装置を示す概略的な縦断面図。
【図１４】本発明の第１１の実施の形態に係る内視鏡装置における内視鏡用撮像装置のスイッチ装置を示す概略的な縦断面図。
【図１５】本発明の第１２の実施の形態に係る内視鏡装置における内視鏡用撮像装置のスイッチ装置を示す概略的な縦断面図。
【図１６】本発明の第１３の実施の形態に係る内視鏡装置における内視鏡用撮像装置のスイッチ装置の第２の良熱伝導体の近傍を示す概略的な縦断面図。
【図１７】（Ａ）および（Ｂ）は、本発明の第１４の実施の形態に係る内視鏡装置における内視鏡用撮像装置のスイッチ装置のスイッチ機構の近傍を示す概略的な縦断面図。
【図１８】（Ａ）および（Ｂ）は、本発明の第１５の実施の形態に係る内視鏡装置における内視鏡用撮像装置のスイッチ装置のスイッチ機構の近傍を示す概略的な縦断面図。
【図１９】（Ａ）は、本発明の第１６の実施の形態に係る内視鏡装置における内視鏡用撮像装置のスイッチ装置の、気密枠と外装と磁気センサと操作具との配置関係を示す概略的な縦断面図、（Ｂ）は操作具を示す概略的な斜視図、（Ｃ）は操作具を操作者の指に装着した状態を示す概略図。
【図２０】本発明の第１７の実施の形態に係る内視鏡装置における内視鏡用撮像装置のスイッチ装置の操作具を示す概略的な斜視図。
【図２１】本発明の第１８の実施の形態に係る内視鏡装置における内視鏡用撮像装置の磁性体ユニットを示す概略図。
【図２２】（Ａ）および（Ｂ）は、本発明の第１８の実施の形態に係る内視鏡装置における内視鏡用撮像装置の磁性体ユニットを示す概略的な縦断面図。
【図２３】本発明の第１８の実施の形態に係る内視鏡装置における内視鏡用撮像装置の磁性体ユニットの永久磁石を整列させる手段を示す概略的な縦断面図。
【図２４】本発明の第１９の実施の形態に係る内視鏡装置における内視鏡用撮像装置の磁性体ユニットを示す概略図。
【図２５】本発明の第１９の実施の形態に係る内視鏡装置における内視鏡用撮像装置の磁性体ユニットの変形例を示す概略図。
【図２６】本発明の第１９の実施の形態に係る内視鏡装置における内視鏡用撮像装置の磁性体ユニットの変形例を示す概略図。
【図２７】本発明の第１９の実施の形態に係る内視鏡装置における内視鏡用撮像装置の磁性体ユニットの変形例を示す概略図。
【符号の説明】
【０１７９】
Ｌａ…距離、Ｌｂ…距離、４４…外装、４４ａ…貫通溝、４４ｂ…貫通孔、４４ｃ…凹部、４４ｄ…凹部、４６…気密ユニット、５２…スイッチ装置、６２…気密ユニット本体、８０…信号伝達回路、８０ａ…硬性部、８２…スイッチユニット、９２ａ…第１のコネクタ、９２ｂ…第２のコネクタ、１１２…入力部、１１２ａ…凹部、１１４…磁石、１１６…固定部材、１１６ａ…フランジ部、１１８…板バネ、１２０ａ…第１の磁性体、１２０ｂ…第２の磁性体、１２２…磁気センサ、１２４…リジッド基板、１２６…磁性体枠
【図１】
2007252418.tif 000003
【図２】
2007252418.tif 000004
【図３】
2007252418.tif 000005
【図４】
2007252418.tif 000006
【図５】
2007252418.tif 000007
【図６】
2007252418.tif 000008
【図７】
2007252418.tif 000009
【図８】
2007252418.tif 000010
【図９】
2007252418.tif 000011
【図１０】
2007252418.tif 000012
【図１１】
2007252418.tif 000013
【図１２】
2007252418.tif 000014
【図１３】
2007252418.tif 000015
【図１４】
2007252418.tif 000016
【図１５】
2007252418.tif 000017
【図１６】
2007252418.tif 000018
【図１７】
2007252418.tif 000019
【図１８】
2007252418.tif 000020
【図１９】
2007252418.tif 000021
【図２０】
2007252418.tif 000022
【図２１】
2007252418.tif 000023
【図２２】
2007252418.tif 000024
【図２３】
2007252418.tif 000025
【図２４】
2007252418.tif 000026
【図２５】
2007252418.tif 000027
【図２６】
2007252418.tif 000028
【図２７】
2007252418.tif 000029